(57)【特許請求の範囲】
【請求項１】
攪拌槽と、該攪拌槽の槽壁に沿って液体を循環させる液体循環手段と、該攪拌槽内に設けられる少なくとも１つの内部伝熱手段と、を有し、該内部伝熱手段の外表面が常に濡れ面状態に置かれる伝熱装置であって、該液体循環手段が回転軸と該回転軸に装着された１または２以上の送液手段とからなる液体噴出手段であり、該内部伝熱手段の上部に分散板が配置され、該液体噴出手段の一部から該分散板に液体を散布し、該散布された液体が該分散板から流下して該内部伝熱手段の外表面を濡れ面とする、伝熱装置。
【請求項２】
前記内部伝熱手段が伝熱コイルまたは伝熱円筒である、請求項１に記載の伝熱装置。
【請求項３】
前記液体噴出手段が、送液手段の途中に孔を有するか、長さが異なる２つの送液手段を有する、請求項１または２に記載の伝熱装置。
【請求項４】
攪拌槽と、該攪拌槽の槽壁に沿って液体を循環させる液体循環手段と、該攪拌槽内に設けられる少なくとも１つの内部伝熱手段と、を有し、該内部伝熱手段の外表面が常に濡れ面状態に置かれる伝熱装置であって、該液体循環手段が回転軸と該回転軸に装着された１または２以上の送液手段とからなる液体噴出手段であり、該液体噴出手段が、二重円筒状の中空部を有する円錐台の構造を有し、該円錐台の中空部に熱媒体が供給され、そして、必要に応じて該円錐台の上方の一部に分散板が設けられ、該円錐台の回転により該円錐台の内側表面に沿って液体が上昇し、該上昇した液体の一部また全部は該円錐台の外側表面に沿って下降し、該円錐台が常に濡れ面となるように構成されている、伝熱装置。
【請求項５】
攪拌槽と、該攪拌槽の槽壁に沿って液体を循環させる液体循環手段と、該攪拌槽内に設けられる少なくとも１つの内部伝熱手段と、を有し、該内部伝熱手段の外表面が常に濡れ面状態に置かれる伝熱装置であって、該液体循環手段が回転軸と該回転軸に装着された１または２以上の送液手段とからなる液体噴出手段であり、該内部伝熱手段が第１円筒と、該第１円筒の内側に配置され、伝熱装置の底部に取り付けられる第２円筒とからなり、該第１円筒の上面は該第２円筒の上面よりも低く構成されており、そして、液体は該第１円筒を通過して第２円筒に流れ、該第２円筒の上部から該第２円筒の筒壁を伝って流れ落ちるように構成されている、伝熱装置。
【請求項６】
前記槽壁が傾斜を有している、請求項１から５のいずれかの項に記載の伝熱装置。
【請求項７】
晶析装置として機能する、請求項１から６のいずれかの項に記載の伝熱装置であって、前記内部伝熱手段が、前記攪拌槽に設けられた外部伝熱手段と温度差を生じる、伝熱装置。
【請求項８】
前記内部伝熱手段が、前記攪拌槽内の液面より上に設けられている、請求項７に記載の伝熱装置。
【発明の詳細な説明】
技術分野
本発明は、伝熱装置に関する。さらに詳しくは、伝熱部の表面が常に濡れ面である装置であって、濃縮物が壁面に付着することなく、かつ伝熱面積を大きくとることができる、伝熱効率の高い伝熱装置に関する。
背景技術
一般的に、濃縮装置は壁面外部のジャケット、あるいは装置内部のコイルに熱媒体を通して液体に伝熱し、液体を蒸発させる形式のものが多い。このような濃縮装置において、コイルなどの加熱部が液面より上にある場合には、液体に熱が伝わらないために、有効に熱を利用できないばかりでなく、液体と空間の境界面で焦げ付きが起こりやすく、付着物が堆積し、焼き付きが起こり、洗浄が困難になる場合が多い。
このような欠点を解消するために、例えば、特開平６−３３５６２７号公報には、液体を濃縮装置の内壁面に噴出して伝熱面積を大きくする装置を提案している。この装置は、蒸発面積を大きくとれることで蒸発効率が大きく改良されるとともに、内壁面を常に濡れ面とすることで、液体と空間の境界面での焦げ付き、付着物の堆積と焼き付きを防止し、洗浄が簡単に済むという効果を有する優れた装置である。この装置は、従来の方法と比べると格段に濃縮速度が改善されているが、さらなる改良が望まれている。
発明の開示
本発明は、このような優れた装置をさらに改良し、伝熱効率が極めて高い装置を提供することを目的とし、濃縮装置の場合、液体と空間の境界面での焦げ付き、付着物の堆積と焼き付きを防止し、洗浄が簡単に済むという効果とともに、さらに優れた濃縮速度を有する濃縮装置を提供することを目的とする。
本発明者らは、上記課題を解決するために鋭意検討を重ねた結果、攪拌槽内に補助伝熱手段を少なくとも一つ配置し、この補助伝熱手段の外表面を常に濡れ面状態に保つことで、伝熱効率に優れた装置を完成させた。さらに、本発明の装置が濃縮装置である場合、液体と空間の境界面での焦げ付き、付着物の堆積と焼き付きを防止し、洗浄が簡単に済むという効果とともに、さらに優れた濃縮速度を有することを見出して本発明を完成させた。
すなわち、本発明は、攪拌槽と、該攪拌槽の槽壁に沿って液体を循環させる液体循環手段と、該攪拌槽内に設けられる少なくとも１つの補助伝熱手段と、を有し、該補助伝熱手段の外表面が常に濡れ面状態に置かれる伝熱装置に関する。以下、この装置を第１の伝熱装置という。
好ましい実施態様においては、前記液体循環手段が回転軸と該回転軸に装着された１または２以上の送液手段とからなる液体噴出手段であり、前記補助伝熱手段が伝熱コイルまたは伝熱円筒であって、該液体噴出装置の一部から該伝熱コイルまたは伝熱円筒に液体を散布して該伝熱コイルまたは伝熱円筒の外表面を濡れ面とする。
また、好ましい実施態様においては、前記液体噴出装置が、送液手段の途中に孔を有するか、長さが異なる２つの送液手段を有する。
別の好ましい実施態様においては、前記液体噴出装置が、二重円筒状の中空部を有する円錐台の構造を有し、該円錐台の中空部に熱媒体が供給され、そして、必要に応じて該円錐台の上方の一部に分散板が設けられ、該円錐台の回転により該円錐台の内側表面に沿って液体が上昇し、該上昇した液体の一部また全部は該円錐台の外側表面に沿って下降し、該円錐台が常に濡れ面となるように構成されている。
好ましい実施態様においては、前記槽壁が傾斜を有している。
さらに、別の好ましい実施態様においては、前記補助伝熱手段が第１円筒と、該第１円筒の内側に配置され、伝熱装置の底部に取り付けられる第２円筒とからなり、該第１円筒の上面は該第２円筒の上面よりも低く構成されており、そして、液体は該第１円筒を通過して第２円筒に流れ、該第２円筒の上部から該第２円筒の筒壁を伝って流れ落ちるように構成されている。
さらに、本発明は、攪拌槽と、該攪拌槽の槽壁に沿って液体またはスラリーを循環させる液体循環手段と、該攪拌槽内に設けられ、該攪拌槽に設けられた伝熱手段と温度差を生じる少なくとも１つの補助伝熱手段と、を有する晶析装置であって、該補助伝熱手段の外表面が常に濡れ面状態に置かれる、晶析装置に関する。以下、この装置を第１の晶析装置という。
好ましい実施態様においては、前記補助伝熱手段が、前記攪拌槽内の液面より上に設けられている。
好ましい実施態様においては、前記晶析装置の攪拌槽の槽壁が傾斜を有している。
本発明は、さらに、攪拌槽と、該攪拌槽の槽壁に沿って液体を循環させる液体循環手段とを有し、該攪拌槽の槽壁が傾斜を有している、伝熱装置に関する。以下、この装置を第２に伝熱装置という。
また、別の本発明は、攪拌槽と、該攪拌槽の槽壁に沿って液体またはスラリーを循環させる液体循環手段とを有し、該攪拌槽の槽壁は傾斜を有しており、そして該攪拌槽には、温度差を生じることができる伝熱手段が２以上設けられている晶析装置に関する。以下、この装置を第２の晶析装置という。
発明を実施するための最良の形態
本発明の第１の伝熱装置は、攪拌槽と、該攪拌槽の槽壁に沿って液体を循環させる液体循環手段と、該攪拌槽内に設けられる少なくとも１つの補助伝熱手段と、を有し、該補助伝熱手段の外表面が常に濡れ面状態に置かれる伝熱装置である。
本発明の第１の伝熱装置は、液体噴出装置に代表される液体循環手段を有する点および該攪拌槽内に設けられる少なくとも１つの補助伝熱手段の外表面を常に濡れ面状態にする点に特徴がある。従って、本発明の伝熱装置は、槽壁の熱伝達部並びに槽内の補助伝熱部の表面が常に濡れているため、液体と空間の境界面での焦げ付き、付着物の堆積と焼き付きを防止でき、洗浄が簡単に済むという効果とともに、さらに伝熱面積を大きくとることができるため、優れた濃縮速度を有する。
本発明に用いられる液体循環手段は、攪拌槽の槽型に沿って液体またはスラリーを循環させる手段が好ましく、例えば、循環ポンプを用いて液体またはスラリーを攪拌槽上部に持ちあげ、上部から槽壁に沿って流す手段、攪拌槽上部からスプレーノズルなどで槽壁に沿って液体またはスラリーを流す手段、槽壁に向かって液体またはスラリーを噴出する手段などが挙げられる。この中でも、ベルヌイの定理および／または遠心力などを利用して、液体またはスラリーを汲み上げ、槽壁に噴出する液体噴出装置を用いることが最も好ましい。
以下、液体噴出装置を用いる場合の第１の伝熱装置を説明するが、本発明が液体噴出装置を用いる例に限定されないことはいうまでもない。
図１は、本発明の伝熱装置の一実施例の断面図を示す。攪拌槽Ｔには、回転軸３を取り付けたモーターＭが設置されている。液体噴出装置４は、中空の管体である送液手段１と取付具２とから構成されており、回転軸３に装着されている。Ｊは攪拌槽Ｔの外部からの伝熱手段であり、Ｈは攪拌槽Ｔ内に設けられた補助伝熱手段である。図１の装置は、液体噴出手段４として、長短２種類の管状体を用いる、送液および液体散布手段２０を有している。この送液および液体散布手段２０の長い管状体の開口部１２から噴出された液体は攪拌槽Ｔの内壁に当り、内壁を流下して母液に戻るが、その際、外部伝熱手段Ｊからの伝熱面をすべて濡れ面とするため、外部伝熱手段Ｊからの熱を極めて有効に利用できる。さらに、短い管状体からなる液体散布手段１３からの液体は攪拌槽Ｔの内部に設けられた補助伝熱手段Ｈ（この場合はコイル）に落下し、補助伝熱手段Ｈを伝って落下するため、常に補助伝熱手段Ｈの伝熱面を濡れ面とする。従って、外部伝熱手段Ｊと補助伝熱手段Ｈのすべての面を濡れ面とすることができるので、効率よく熱交換でき、蒸発缶として用いた場合は、優れた蒸発速度を得ることができる。
なお、短い管状体からなる液体散布手段１３からの液体が補助伝熱手段Ｈ上に落下するようには、送液手段の回転速度を調節すればよいが、より確実にするために、例えば、図３（ｄ）に示すような分散板１５を攪拌槽Ｔの周囲に沿って配置することが好ましい。
図２は、本発明の伝熱装置の、別の実施例の断面図を示す。この装置では、補助伝熱手段Ｈは伝熱円筒であるが、補助伝熱手段Ｈ（伝熱円筒）は、補助伝熱手段Ｈと攪拌槽Ｔの底面との間に隙間が生じるように配置され、その隙間を液体が移動できるように構成される。図２の装置は、図１と同様、長短２種類の管状体を用いる、送液および液体散布手段２０を有する。長い方の管状体は上部開口部１２を攪拌槽Ｔの壁面にほぼ垂直に当るように曲げられている。他方、短い方の管状体（液体散布手段１３）の先端部も曲げられており、その先に分散板１５が、攪拌槽Ｔの内周に沿って設けられている。そして、この分散板１５の直下には、補助伝熱手段Ｈが配置されている。液体散布手段１３から噴出された液体は分散板１５で受け止められ、直下の補助伝熱手段Ｈ上に落下する。
長い方の管状体の上部開口部１２から噴出した液体は、図１と同様、攪拌槽Ｔの内壁に当り、内壁を流下して母液に戻るが、その際、外部伝熱手段Ｊからの伝熱面をすべて濡れ面とするため、外部伝熱手段Ｊからの熱を極めて有効に利用できる。さらに、短い管状体からなる液体散布手段１３からの液体は攪拌槽Ｔの内部に設けられた補助伝熱手段Ｈ（この場合は、伝熱円筒）上に落下し、補助伝熱手段Ｈを伝って落下するため、常に補助伝熱手段Ｈの伝熱面を濡れ面とする。従って、外部伝熱手段Ｊと補助伝熱手段Ｈのすべての面を濡れ面とすることができるので、効率よく熱交換でき、蒸発缶として用いた場合は、優れた蒸発速度を得ることができる。
補助伝熱手段Ｈの形状は、図１の伝熱コイル、図２の伝熱円筒に限られず、液体により常に濡れ面を形成できるような形状であれば、特に制限はない。補助伝熱手段Ｈの外表面が常に濡れ面となる機構は、図３に例示される。例えば、補助伝熱手段Ｈが伝熱コイルである場合（図３（ａ））、伝熱円筒である場合（図３（ｂ））、液体は、それぞれの図に示すように挙動し、液膜１７を形成するので、常に伝熱面は濡れ面となる。また、図３（ｃ）に示すような蛇腹様の形状であってもよく、このような形状にすることにより、伝熱面積をさらに大きくすることができる。
また、図３（ｄ）および（ｅ）に示すように、補助伝熱手段Ｈの上部に分散板１５を配置し、この分散板１５に当った液体が、補助伝熱手段Ｈ上に流下するようにすることができる。確実性という点からは、分散板１５を用いることがより好ましい。これらの方法により、補助伝熱手段Ｈの外表面は常に濡れ面となる。
なお、本発明の装置に用いられる送液手段１は、下部開口部１１が液面Ｌの下部に位置し、上部開口部１２が液面Ｌから露出し、かつ一定の傾斜角を有するように取付具２に装着されている。液体噴出装置４は、回転軸３の回転とともに回転し、送液手段１の下部開口部１１から液体を取り込み、送液手段１中を移動させ、噴出液が攪拌槽Ｔの上壁と接触するように、上部開口部１２から液体を噴出させる。これにより、攪拌槽Ｔの伝熱手段Ｊと接触する内壁は常に濡れ面状態となる。
また、図１、図２に示した液体噴出装置４は、単なる例示であり、本発明の伝熱装置に用いられる液体噴出装置４としては、例えば、特開平６−３３５６２７号公報に記載されている装置が用いられる。液体噴出装置４に取り付けられる送液手段１は、回転軸３の回転により、ベルヌーイの定理および／または遠心力によって液体またはスラリーを移動させることができる形状のものであれば、形状を問わない。例えば、図１に示すような管体の他に、樋状体、板状体、円錐台状の無底の中空筒体などが挙げられる。
本発明の図１、図２に示す伝熱装置においては、補助伝熱手段Ｈを常に濡れ面とするために、補助伝熱手段Ｈの上面に液体を散布するための液体散布手段１３が用いられている。この液体散布手段１３の例は、図１および２で示しているが、これを更に図４に基づいて詳しく説明する。
図４（ａ）は、送液手段１の途中に孔１４を設けた場合の例、図４（ｂ）は、送液手段１の途中にガイド１８（パイプ、樋など）を設けた場合の例を示す。図４（ｃ）は送液手段１とは長さが異なる送液手段を液体散布手段１３として用いる場合の例であり、管体の送液手段１と管体であって送液手段１よりも短い液体散布手段１３とが一体化されている送液および液体散布手段２０を示している。この送液および液体散布手段２０は、例えば、図１または図２に示すように、送液手段１として取り付けられ、回転軸３を回転させることにより、攪拌槽Ｔの上部壁面と補助伝熱手段Ｈ上に液体を噴出、散布する。もちろん、送液手段１と液体散布手段１３とは必ずしも一体化される必要はなく、それぞれの液体の噴出または散布位置を考慮して、別々に、必要に応じて、角度を変えて取り付けてもよい。なお、液体散布手段１３は必ずしも管体である必要はなく、樋状体などの形状であってもよい。
図４（ｄ）は、送液手段１が樋状体５であり、液体散布手段１３も樋状体である場合の図である。図４（ｅ）は、送液手段１が樋状体であり、液体散布手段１３が板状体である場合の模式図である。この場合、送液手段１と液体散布手段１３とは一体化していることが望ましい。図４（ｆ）は、送液手段１である樋状体の途中に堰１９を設けた場合の模式図である。この装置では、送液される液の一部が堰１９により流れの方向を変えられ、補助伝熱手段Ｈ上に落下するように構成される。
図４の送液手段１に孔１４、ガイド１８などを設け、あるいは送液手段１より短い送液手段を送液手段１に取り付けて送液および液体分散手段２０を形成する場合、これらの孔１４、ガイド１８、堰１９などを設ける位置は回転数、取付角度などを考慮して決定すれば良く、常に、補助伝熱手段Ｈの最上面に液体が散布されるように構成すればよい。補助伝熱手段Ｈ上に散布された液体は、液体の粘性と重力により、下方に移動し、補助伝熱手段Ｈの外表面は常に濡れ面となる（上記図３参照）。
さらに、図２および図３（ｄ）で説明したように、本発明では、分散板を攪拌槽に設けることも好ましい態様の一つである。液体分散手段１３を用いる場合、その液体噴出部から噴出する液体に当るように分散板が移動可能でもよく、あるいは、分散板を固定して、液体噴出装置の回転数の変化により、噴出された液体が分散板に当るようにすることもできる。
なお、図１または図２において、補助伝熱手段Ｈは当初、液面下にあってもよい。濃縮が進行するに従って、補助伝熱手段Ｈが液面に露出してきたときに、上記手段のいずれかを用いて、常に液体が補助伝熱手段Ｈに接触するようにしておけばよい。例えば、連続的に液体散布手段１３から補助伝熱手段Ｈに液体を供給すれば、補助伝熱手段Ｈの外表面は、常に、濡れ面となる。
上記の図１または図２に例示される構成とすることで、外部からの加熱手段Ｊの伝熱部と内部の補助伝熱手段Ｈの伝熱部全体が、常に全て伝熱部として機能するので、伝熱面積を大きくすることができ、外部からの伝熱にたよる従来の装置と比べて、伝熱速度は大きく改善される。
図５は、補助伝熱手段Ｈが伝熱円筒を２つ有する場合の伝熱装置の例である。図５の伝熱装置は、樋状体５と平板部５３からなる液体噴出装置４と、第１の伝熱円筒Ｈ１とその内側に第２の伝熱円筒Ｈ２とを有している。第２の伝熱円筒Ｈ２は攪拌槽Ｔの下部に設けられ、液体を堰きとめる。第１の伝熱円筒Ｈ１の上部は、第２の伝熱円筒Ｈ２により形成される液面Ｌ２よりも下部に来るように（すなわち、常に第１の伝熱円筒Ｈ１が液面下にあるように）形成され、かつ、伝熱円筒Ｈ１は、例えば、伝熱円筒の下部に孔を設ける、攪拌槽Ｔの底面から浮かして設置するなど、伝熱円筒Ｈ１の下部を液体が通過できるように構成されている。
回転軸３に取り付けられた樋状体５を先行させ、平板部５３を後行させるように（図面では矢印の方向に）回転することにより、液体が樋状体５の下部開口部５１から上昇し、上部開口部５２から噴出され、攪拌槽Ｔの内壁に噴出される。噴出された液体は攪拌槽Ｔの内壁を伝って流れ降り、第１の伝熱円筒Ｈ１の下部を通過して、あるいは、第１の伝熱円筒Ｈ１の上部を通過して流れる。第２の伝熱円筒Ｈ２によって堰きとめられた液体は、液面Ｌ１が液面Ｌ２より低い位置にあると、第２の伝熱円筒Ｈ２の面を伝って流れ落ちる。これにより、少量の液体であっても、確実に伝熱面に供給できる。
なお、図５において、第１の伝熱円筒Ｈ１の代りに伝熱コイルを用いてもよいが、その場合は、伝熱コイル全体を液面Ｌ２より下になるように配置する。
さらに、図５の伝熱装置において、補助伝熱手段Ｈは、３個以上設けることもできる。この場合、最内部の伝熱円筒の高さを他の伝熱円筒または伝熱コイルの高さよりも高くして、常に、他の伝熱円筒または伝熱コイルが液面Ｌ２下にあるようにすることが必要である。
本発明の第１の伝熱装置において、槽壁に傾斜を設けることができる。槽璧に傾斜を設けることにより、伝熱面積をさらに大きくとることができ、さらに蒸発効率を高めることができる。槽壁の傾斜の形状は特に制限されないが、例えば、図６、図７に示すような、円錐形の形状が好ましい。
また、本発明の第２の伝熱装置は、攪拌槽と、該攪拌槽の槽壁に沿って液体を循環させる液体循環手段とを有し、該攪拌槽の槽壁が傾斜を有している。この例を、図６および図７に示す。このような形状の第２の伝熱装置は、従来の傾斜を有しない装置と比べて、伝熱面積を大きくとることができるため、蒸発効率が大きく改善される。
第１および第２の伝熱装置に用いられる液体噴出装置の別の例を、図８に示す。図８（ａ）は、液体噴出装置４として、二重円筒状の、外部から遮断された中空部３１を有する円錐台３０の断面図であり、図８（ｂ）はその円錐台３０の形状を示す模式図である。中空部３１は、取付具２を介して、熱媒体（例えば蒸気３２）が中空部３１に供給され、そして、熱交換された熱媒体（例えば凝縮液３３）が回収される構造を有している。従って、液体噴出装置４の円錐台３０自体が補助伝熱手段Ｈとなる。そして、この円錐台３０が回転すると、内側表面３４に沿って液体が上昇し、そして、上昇した液体の一部は、必要に応じて液体の噴出方向に設けられた分散板１５に当たり、外側表面３５に沿って下降するように構成されている。従って、補助伝熱手段Ｈである円錐台３０が常に濡れ面となり、熱交換が十分に行われる。また、円錐台３０の形状を図８（ｃ）に示すような形状にすることにより、分散板１５を設けなくても、自然落下の液体で円錐台３０の外側表面３５は濡れ面となる。このように、送液手段を二重円筒状の、中空部３１を有する円錐台３０の構造とし、この中空部３１に熱媒体を供給して補助伝熱手段Ｈとして使用し、そして、必要により分散板１５を設けて円錐台３０の外側表面３５を濡れ面とすることにより、補助伝熱手段Ｈが常に濡れ面である伝熱装置が提供される。
また、別の実施態様では、二重円筒状の、外側の円筒と内側の円筒との間を液体が上昇して散布されるような円錐台を形成し、その外側の円筒と内側の円筒との間に補助伝熱手段Ｈを設ける構成とすることができる。このような構成を有することにより、補助伝熱手段Ｈは、常に濡れ面となり、液体は、移動中に熱交換を受けるので、効率のよい伝熱装置が提供される。
本発明の伝熱装置に用いる補助伝熱手段が蒸気、熱媒などの加熱手段である場合、本発明の伝熱装置は、濃縮装置として、極めて優れた濃縮効率を有する。また、補助伝熱手段が冷媒である場合、極めてすぐれた冷却効率を有する冷却装置として利用される。
本発明の第１および第２の伝熱装置は、晶析装置としても用いられる。本発明の第１の晶析装置は、第１の伝熱装置で、伝熱手段を２以上設け、これらの伝熱手段間で温度差を生じるように形成されている。すなわち、第１の晶析装置は、攪拌槽と、該攪拌槽の槽壁に沿って液体またはスラリーを循環させる液体循環手段と、該攪拌槽内に設けられ、該攪拌槽に設けられた伝熱手段と温度差を生じる少なくとも１つの補助伝熱手段と、を有するように構成される。攪拌槽に設けられる伝熱手段は、１つでもよく、２以上であってもよい。また、補助伝熱手段も１または２以上あってもよい。補助伝熱手段は、複数の伝熱手段がある場合、少なくとも一つの伝熱手段と温度差を生じればよい。
伝熱手段と、補助伝熱手段をそれぞれ一つ有する晶析装置を、図９および図１０に示す。図９の装置は、液体噴出手段４としてパイプ６を用いており、液体噴出手段を回転させることにより、パイプ６の上部から、液体噴出手段４の周囲に沿うように配置された分散板１５に液体を散布し、補助伝熱手段Ｈ（この場合伝熱円筒）の外表面を通過させながら液体を母液に戻す。補助伝熱手段Ｈは、液面Ｌよりも上に配設される。
冷却晶析装置として用いる場合、補助伝熱手段Ｈの温度を伝熱手段Ｊより高くする。図９において、冷却により生じた微結晶を含むスラリーが液体噴出手段４から噴出されると、スラリー中の微結晶は、補助伝熱手段Ｈにより加熱された領域を通過する際に溶解され、濃度の高い液体が補助伝熱手段Ｈ（伝熱円筒）を伝って冷却部に流れ戻る。本発明の晶析装置により、結晶生成の誘導期間が短縮され、分布がシャープな、大きな粒子の結晶を得ることができる。
濃縮晶析装置として用いる場合、下部伝熱手段Ｊの温度を補助伝熱手段Ｈより高くする。図９において、微結晶を含むスラリーが液体噴出手段４から噴出されると、スラリー中の微結晶は、補助伝熱手段Ｈにより冷却された領域を通過する際に、結晶化が促進されるとともに、補助伝熱手段Ｈ（伝熱円筒）の冷却表面を伝って流れ戻るため、結晶化速度を上げることができる。この装置により、結晶生成の誘導期間が短縮され、分布がシャープな、大きな粒子の結晶を得ることができる。図１０は、補助伝熱手段Ｈをコイルにした場合の図である。
また、図１１は、伝熱手段を２つ、補助伝熱手段を一つ有する晶析装置の一例を示す図である。図１１に示すように、攪拌槽Ｔの上部と下部には、それぞれ独立した伝熱手段ＫとＪとが設けられる。伝熱手段ＪとＫとの間で温度差を創出する。図１１の装置は、液体噴出手段４として樋状体５を用いているが、樋状体５の中間部に分岐１６を設け、この分岐１６から液体が噴出するように構成し、樋状体５の上部から伝熱手段Ｋに液体を散布し、伝熱手段Ｋと伝熱手段Ｊとを通過して液体を母液に戻すとともに、分岐１６から噴出した液体は、装置の周囲に沿うように配置された分散板１５に当り、直下に配置した補助伝熱手段Ｈであるコイルに落下し、コイルを常に濡れ面とするように構成されている。
冷却晶析装置として用いる場合、上部伝熱手段Ｋの温度を下部伝熱手段Ｊより高くする。補助伝熱手段Ｈの温度は、上部伝熱手段Ｋの温度より低く、下部伝熱手段Ｊと同程度の温度とする。冷却により生じた微結晶を含むスラリーが液体噴出手段４から噴出されると、スラリー中の微結晶は、伝熱手段Ｋにより加熱された領域を通過する際に溶解され、濃度の高い液体が内壁を伝って冷却部に流れ戻る。この冷却部では、補助伝熱手段Ｈで冷却伝熱面積が増加され、かつ、すべての伝熱部が使用されるので冷却速度を早くすることができる。そのため、結晶生成の誘導期間が短縮され、分布がシャープな、大きな粒子の結晶を得ることができる。
濃縮晶析装置として用いる場合、下部伝熱手段Ｊおよび補助伝熱手段Ｈの温度を上部伝熱手段Ｋより高くする。下部伝熱手段Ｊと補助伝熱手段Ｈとはほぼ同じ温度でもよい。微結晶を含むスラリーが液体噴出手段４から噴出されると、スラリー中の微結晶は、上部伝熱手段Ｋにより冷却された領域を通過する際に、結晶化が促進されるとともに、冷却内壁を伝って流れ戻るため、結晶化速度を上げることができる。下部の加熱部では、補助伝熱手段Ｈで加熱伝熱面積が増加され、かつ、すべての伝熱部が使用されるので、蒸発速度を早くすることができる。そのため、結晶生成の誘導期間が短縮され、分布がシャープな、大きな粒子の結晶を得ることができる。
さらに、濃縮が伴わないような場合においても、晶析装置の上部伝熱手段と下部伝熱手段（必要に応じて補助伝熱手段）の温度を異なる温度で制御することにより、多形制御晶析を行うこともできる。このような多形制御の場合、例えば、グルタミン酸の晶析の場合、上部伝熱手段Ｊと下部伝熱手段Ｋとの温度差を小さくした条件（例えば、上部伝熱手段Ｊ（冷却ジャケット）を１６℃、下部伝熱手段（加熱ジャケット）を３６．５℃とし、スラリー温度を２９．８℃に維持する条件）で運転すると、上部伝熱手段Ｊで冷却され、過飽和となって、α型の結晶の種が発生しやすい条件となる。このような条件で発生したα型の種結晶は、母液に戻るが、既に過飽和度がある程度減少していること、および再び伝熱手段Ｊで冷却されるために、β型の結晶が発生しにくい条件となると考えられる。従って、α型の結晶が選択的に晶析されることになる。なお、濃縮を伴わないような場合であっても、晶析装置の上部伝熱手段Ｊの温度を下部伝熱手段Ｋの温度より低くする晶析方法および装置は、本明細書では、濃縮晶析および濃縮晶析装置と称する。
本発明の第１の晶析装置は、また、前記第１の伝熱装置と同様、好ましくは図６、図７に示されるような、槽壁に傾斜を設けることもできる。冷却晶析装置として用いる場合、傾斜を設けた槽壁には噴出するスラリーよりも温度が高い上部伝熱手段Ｋが設けられているので、スラリー中の微結晶は確実に溶解され、さらに伝熱面積が大きくとれるので、結晶生成の誘導期間がより短縮され、分布がシャープな、大きな粒子の結晶を得ることができる。
濃縮晶析装置として用いる場合、傾斜を設けた槽壁には噴出するスラリーよりも温度が低い上部伝熱手段Ｋが設けられているので、結晶生成の誘導期間がより短縮され、分布がシャープな、大きな粒子の結晶を得ることができる。
第２の晶析装置は、例えば、図１２に示されるように、傾斜を有する攪拌槽Ｔと、この攪拌槽の傾斜された槽壁に沿って液体を循環させる液体循環手段４とを有し、そして、攪拌槽には、温度差を生じることができる伝熱手段ＫとＪとが設けられている。
実施例
以下、実施例を挙げて本発明を説明するが、本発明はこの実施例に限定されない。
図１３に示す伝熱装置（本発明の伝熱装置）を用いた。この伝熱装置は中間部に孔１４を有する樋状体５の液体噴出装置４が回転軸３に取り付けられ、伝熱装置の外部に伝熱ジャケットＪを備え、内部に補助伝熱手段として伝熱コイルＨを備えている。伝熱コイルの上部には分散板１５が設けられ、液体噴出装置４の樋状体５の中間部に設けられた孔１４から液体が噴出され、この伝熱コイルＨ上に落下するように構成されている。この伝熱装置は１００Ｌの容積を有し、伝熱面積は、ジャケット部が０．７５８ｍ２であり、コイル部が０．４７２ｍ２であった。底部から１５Ｌまでの伝熱面積はジャケットが０．３０８ｍ２、コイルが０．１８９ｍ２であり、底部からコイルまでの容量は３．７Ｌであった。比較として、同じ装置で、液体噴出装置の代りにコーンケープ型の攪拌機を備えたものを用いた（比較例の伝熱装置）。
この本発明の伝熱装置および比較例の伝熱装置に１５Ｌのメチルエチルケトンを入れた。ジャケット部Ｊには蒸気を供給せず、コイル部Ｈのみに蒸気を供給した。加熱部と液温との温度差は、１０℃であった。結果を図１４に示す。
この結果から、コイルの伝熱面積をすべて用いることができる本発明の伝熱装置が、コイルの伝熱面積の一部しか伝熱面積として用いることができない比較例の伝熱装置より優れていることが確認できた。このことは、本発明の伝熱装置のように、内部に補助伝熱装置を有し、この補助伝熱装置の伝熱面積をすべて利用することができる伝熱装置は、優れた蒸発速度を有することを示している。
産業上の利用可能性
本発明の伝熱装置は、槽壁並びに槽内の補助伝熱手段が常に濡れているため、濃縮装置として用いた場合、液体と空間の境界面での焦げ付き、付着物の堆積と焼き付きを防止し、洗浄が簡単に済むという効果とともに、さらに伝熱面積を大きくとることができるため、優れた濃縮速度を有する。
本発明の第１の伝熱装置は、攪拌槽の槽壁に沿って液体を循環させる液体循環手段と、この攪拌槽内に設けられる少なくとも１つの補助伝熱手段とを有しており、槽壁全体と、補助伝熱手段が常に濡れている状態に置かれるので、伝熱手段全てが液体による濡れ面を形成しているので伝熱効率にすぐれる。伝熱手段、補助伝熱手段が加熱手段である場合、伝熱装置は濃縮装置であり、槽壁並びに槽内の補助加熱手段が常に濡れているため、液体と空間の境界面での焦げ付き、付着物の堆積と焼き付きを防止し、洗浄が簡単に済むという効果とともに、さらに伝熱面積を大きくとることができるため、優れた濃縮速度を有する。
また、第２の伝熱装置は、槽壁に傾斜を有するので、伝熱面積を大きくし、さらに蒸発効率を改良することができる。
さらに、第１および第２の伝熱装置は、また、晶析装置としても用いられる。この晶析装置は、温度差を有するように構成されているので、結晶化速度が大きく、かつ粒径の大きい結晶が容易に得られる。
図面の簡単な説明
【図面の簡単な説明】
図１は、本発明の伝熱装置の一実施例である。
図２は、本発明の伝熱装置の他の実施例である。
図３は、液体が補助伝熱手段を通過する状態を示す模式図である。
図４は、液体分散手段を示す例である。
図５は、本発明の別の実施例を示す図である。
図６は、槽壁に傾斜を有する本発明の伝熱装置の一例である。
図７は、槽壁に傾斜を有する本発明の伝熱装置の一例である。
図８は、液体噴出装置が補助伝熱手段である伝熱装置の一例である。
図９は、補助伝熱手段が伝熱円筒である本発明の晶析装置を示す一例である。
図１０は、補助伝熱手段がコイルである本発明の晶析装置を示す一例である。
図１１は、本発明の晶析装置を示す一例である。
図１２は、本発明の、別の晶析装置を示す一例である。
図１３は、本発明の伝熱装置を示す一例である。
図１４は、本発明の伝熱装置と従来の伝熱装置を用いた場合の蒸発速度の差を示す図である。
【図１】
0004886157.tif 000002
【図２】
0004886157.tif 000003
【図３】
0004886157.tif 000004
【図４】
0004886157.tif 000005
【図５】
0004886157.tif 000006
【図６】
0004886157.tif 000007
【図７】
0004886157.tif 000008
【図８】
0004886157.tif 000009
【図９】
0004886157.tif 000010
【図１０】
0004886157.tif 000011
【図１１】
0004886157.tif 000012
【図１２】
0004886157.tif 000013
【図１３】
0004886157.tif 000014
【図１４】
0004886157.tif 000015